(57)【要約】【課題】スマートフォンなどの多機能端末に専用アプリをインストールして美容装置として使用する場合、スマートフォンのイヤフォン端子やドック端子から得られる電流は肌に通電させて美容効果を得るための電流として理想的ではないので、美容効果を得るために最適化された電流を出力できるようにする。【解決手段】美容装置として理想的な電流を出力するには、専用の電源を備え専用の回路を介して電流を出力する装置が必要である。そこで、従来のように電流の供給までスマートフォンに依存するのではなく、スマートフォンは電圧や電流やタイマー設定などの制御系のみ担当し、通電のために出力する電流の電源をスマートフォンに合体できる専用部品が担うことで、制御部分と通電部分がそれぞれもっとも理想的な機能を発揮し、かつコストを抑えることが可能になる。【選択図】図１
2017121306.tif 000002
【特許請求の範囲】
【請求項１】
専用のアプリで都度選択された動作設定に合わせて信号パターンを表示させることができる液晶画面を備えたスマートフォンと、センサーでスマートフォンの画面に表示された信号パターンを読み取り、そのパターンに合わせて皮膚に通電させるための電流を出力することができる電流通電部品とで構成される美容装置であって、電流の波形や強弱、出力時間を設定するタイマーなどの動作制御をスマートフォンが行い、美容に適した電流を出力し通電させる機能は専用の電流通電部品が担い、スマートフォンと電流通電部品との通信を、スマートフォンの画面に表示される信号パターンを電流通電部品のセンサーが読み取ることによって行うことを特徴とする美容装置。
【発明の詳細な説明】
【技術分野】
【０００１】
本発明は、美容および肌の健康を目的として皮膚に電流を通電させる美容装置において、電流を発生させて皮膚に通電させる電流通電部品をスマートフォンに接続し、スマートフォンにインストールすることができる専用アプリを使って、前記電流通電部品をスマートフォンで制御することができる美容装置に関するものである。
【背景技術】
【０００２】
イオン導入、イオン導出クレンジング、エレクトロポレーション、EMS（Electrical Muscle Stimulation）など、電流を皮膚に通電させることで美容効果および肌の健康をもたらす技術は長く存在するが、その技術を提供する装置はいずれもその機能に特化した専用装置で、それらは一般的に高額である。
【０００３】
スマートフォンの普及率は非常に高く、多くの消費者がスマートフォンを利用している。それらのスマートフォン利用者は、スマートフォン用に開発されたアプリをインストールすることにより、電話以外の多様な機能をスマートフォンで実現することができ、それがスマートフォンの本質的な価値となっている。
【０００４】
このように、多くの利用者が存在するスマートフォンに、前記電流通電部品を接続し、スマートフォンのアプリを使用して前記電流通電部品を制御することにより、金銭面と取扱面の両方において、これまでよりも手軽に美容装置を利用できるようになる。
【０００５】
スマートフォンに電極（電線を介した電極）を接続して美容効果を得る先行技術は存在するが、その技術は、オーディオファイルを再生させることにより、スマートフォンのイヤフォン端子を介して出力される電流を電源としている。しかしながら、美容と肌の健康のために皮膚に電流を通電させるには、その目的に特化した特性を持つ電流が必要で、オーディオファイルを再生することによって得られる電流では充分な効果は得られない。
【０００６】
それに対して本発明は、独自の電源を有して美容と肌の健康に適切な電流を出力して通電させることができる電流通電部品をスマートフォンに取り付け、出力する電圧の強弱、電流の種類や出力タイマーをスマートフォン側で制御するものである。
【０００７】
その制御方法は、スマートフォンの画面の一部に特定の信号パターンを専用スマートフォンアプリにより表示させ、それをスマートフォンの画面に接触させて取り付けた電流通電部品のセンサーによって読み取り、前記信号パターンに合わせて異なった電圧、電流、波形、タイマーなどの設定で出力を行うものである。
【先行技術文献】
【特許文献】
【０００８】
【特許文献１】特許5367800
【特許文献２】特開2014-176556
【発明の概要】
【発明が解決しようとする課題】
【０００９】
解決しようとする課題は大きくふたつ存在する。ひとつは、既存の専用美容装置は高価であること。もうひとつは、スマートフォンと組み合わせた既存の美容装置は、価格こそ低減されているが、スマートフォン側の機能に依存し過ぎ、かつ簡易性を求めるあまり充分な効果が期待できないことである。
【課題を解決するための手段】
【００１０】
スマートフォンと電流通電部品の機能分担およびふたつの異なった機器間の通信方法が本発明の根幹である。スマートフォン側で、制御が複雑となる電圧の強弱、電流の種類、施術時間のタイマーなどを設定し、それをスマートフォンの画面に信号パターンとして表示させ、その信号パターンを電流通電部品に取り付けられたセンサーを使って読み取り、読み取った信号パターンに合わせた電圧の強弱、電流の種類、施術時間のタイマーなどの設定で電流通電部品が電流を出力する。その電流を、電流通電部品に取り付けられた電極または電流通電部品から電線で接続された電極を通して皮膚に通電させる。
【発明の効果】
【００１１】
電流を皮膚に通電させる美容装置は数多く存在するが、それらは高額である。美容装置使用時の設定と制御を行う部分にコストがかかるため、複雑な制御系を持つ美容装置ほど価格も高額になる傾向にある。そのような市場の中で、本発明の美容装置は、スマートフォンを美容装置の制御系として使うことにより、美容装置全体の価格を低減させることが可能で、消費者がより購入しやすくなる。
【図面の簡単な説明】
【００１２】
【図１】本発明の部品構成図である。
【図２】スマートフォンの設定画面を表した図である。
【図３】電流通電部品を表した図である。
【図４】本発明のふたつの部品、スマートフォンと電流通電部品を組み合わせた図である。
【図５】電線を介して電極を接続するタイプの電流通電部品を表した図である。
【発明を実施するための形態】
【００１３】
スマートフォン（１）と電流通電部品（２）を組み合わせて美容装置として利用する。スマートフォンに専用アプリをインストールし、そのアプリを起動させてスマートフォンの画面でタイマー（４）、電圧の強弱（５）、電流の種類（６）などを設定し、設定ボタン（７）で設定を確定する。設定された内容は、スマートフォンの画面で信号パターン（３）として表示され、それを電流通電部品（２）のセンサー（８）が読み取って、電流通電部品（２）に内蔵した電源から皮膚通電用電極（９）、または電線を介して電極を接続するタイプの電流通電部品（１０）に接続された電極を通して電流を出力させる。
【実施例】
【００１４】
スマートフォン：ユーザーが端末購入後に任意のアプリをインストールすることができ、液晶画面を備えた端末を制御装置として利用する。専用アプリがインストールでき、信号パターンを表示することができる液晶画面を備えた機器で代用することも可能である。
電流通電部品：皮膚に通電する電流を出力するための独自の電源を備え、その電流を皮膚に通電するための電極あるいは電線で電極を接続するための端子を有し、スマートフォンの液晶画面に表示される信号パターンを読み取ることができるセンサーを備えており、スマートフォンに取り付けて使用する。
アプリ：スマートフォンにインストールし、電流通電部品が出力する電圧の強弱、電流の種類、電流の出力タイマーなどを設定し、その設定を電流通電部品に組み込まれたセンサーが読み取れるように、スマートフォンの液晶画面に単純な信号パターンで表示させることができる。
前記アプリをインストールしたスマートフォンに前記電流通電部品を取り付け、前記アプリを起動して通電の設定を行い、前記アプリ内の開始ボタンをタップすることによって通電が開始する。
通電が開始したら、利用者はスマートフォンを把持して電流通電部品の電極を皮膚に接触させ通電させる。あるいは、通電部品から電線で接続された電極を皮膚に接触させ通電させる。通電中は、スマートフォンの画面に残りの施術時間がタイマーによって表示される。
【産業上の利用可能性】
【００１５】
美容装置として充分な効果を得られる機能を持ちながら、同等の専用装置よりも低価格での販売が可能となる。
【符号の説明】
【００１６】
１  スマートフォン
２  電流通電部品
３  動作を伝える信号パターン
４  タイマー
５  電圧
６  電流の種類
７  設定ボタン
８  信号パターン読み取り用センサー
９  皮膚通電用電極
１０  電極が電線を介して接続されるタイプの電流通電部品
【図１】
2017121306.tif 000003
【図２】
2017121306.tif 000004
【図３】
2017121306.tif 000005
【図４】
2017121306.tif 000006
【図５】
2017121306.tif 000007